(57)【特許請求の範囲】
【請求項１】
第１の切込みスリットと、前記第１の切込みスリットと同一線上に形成された第２の切込みスリットと、前記第１および第２のスリットに平行に形成されて通常時には閉じているスリットとを有するスリットユニットを、
シート状部材の第１の辺およびこれと平行な第２の辺に沿う幅方向に複数組分散させて配設するとともに、
前記第１の切込みスリットは、前記第１の辺から前記第２の辺に向けて切込んで形成され、
前記第２の切込みスリットは、前記第２の辺から前記第１の辺に向けて切込んで形成され、
前記スリットは、前記第１の切込みスリットの端部と前記第２の切込みスリットの端部との間の部位を跨いで形成されるとともに、
前記幅方向に関する前記シート状部材の両端部が固定されている支持部材を有し、
さらに、前記支持部材における前記幅方向と交差する方向の両端部間に伸縮可能な弾性部材からなる紐状部材の両端部をそれぞれ固定するとともに、前記幅方向で隣接する前記第１の切込みスリットの間の部位である第１の耳部の一点および前記幅方向で隣接する前記第２の切込みスリットの間の部位である第２の耳部の一点を前記紐状部材に係止させたことを特徴とする区画ネット。
【請求項２】
第１の切込みスリットと、前記第１の切込みスリットと同一線上に形成された第２の切込みスリットと、前記第１の切込みスリットと前記第２の切込みスリットとの間の前記同一線上に形成されて通常時には閉じているｎ個（ｎは自然数）の第１のスリットと、前記第１のスリットに平行な同一直線上に形成されて通常時には閉じている（ｎ＋１）個の第２のスリットとを有するスリットユニットを、
シート状部材の第１の辺およびこれに平行な第２の辺に沿う幅方向に複数組分散させて配設するとともに、
前記第１の切込みスリットは、前記第１の辺から、前記第２の辺に向けて切込んで形成され、
前記第２の切込みスリットは、前記第２の辺から、前記第１の辺に向けて切込んで形成され、
前記第２のスリットは、前記第１の切込みスリットあるいは第２の切込みスリットの端部と第１のスリットの端部の間の部位、または前記同一線上で隣接する第１のスリット同士の端部の間の部位を跨いで形成されるとともに、前記幅方向に関し千鳥状に配設され、
さらに前記幅方向に関する前記シート状部材の両端部が固定されている支持部材を有するとともに、
前記支持部材における前記幅方向と交差する方向の両端部間に伸縮可能な弾性部材からなる紐状部材の両端部をそれぞれ固定するとともに、前記幅方向で隣接する前記第１の切込みスリットの間の部位である第１の耳部の一点および前記幅方向で隣接する前記第２の切込みスリットの間の部位である第２の耳部の一点を前記紐状部材に係止させたことを特徴とする区画ネット。
【請求項３】
請求項１または請求項２に記載する区画ネットにおいて、
前記第１および第２の切込みスリットの端部、前記第１および第２のスリットの両端部に、前記端部および両端部が孔内に含まれるように孔を設けたことを特徴とする区画ネット。
【請求項４】
請求項１〜請求項３の何れか一つに記載する区画ネットにおいて、
複数枚の区画ネット同士を幅方向で連結し得るよう前記支持部材の側面に連結部材を設けたことを特徴とする区画ネット。
【請求項５】
請求項１〜請求項４の何れか一つに記載する区画ネットにおいて、
前記シート状部材は、合成繊維を合成樹脂フィルムで挟んだ合成樹脂性のシートであることを特徴とする区画ネット。
【発明の詳細な説明】
【技術分野】
【０００１】
本発明は区画ネットに関し、特に立ち入り禁止区域を画成する場合に適用して有用なものである。
【背景技術】
【０００２】
立ち入り禁止区域をロープやネットで画成することは充電部を有する電気設備、工事現場等で日常的に行われている。そこで、かかるロープやネットに関する多くの従来技術が提案されている。
【０００３】
特許文献１（登録実用新案第３０４７１４３号公報）に係る作業場等の区画用ネットは、電気工事現場や各種工事現場において、作業区域や危険区域と、そうでない区域を遠方からでも視覚的に明確に識別させて進入を阻止するように工夫したネットであって、網糸を角目仕立てに編網するか、または織物の織り方を粗くして角目仕立てした網体の縁部に補強シ−トを定着し、しかも網体と補強シ−トの表面と裏面とをそれぞれ異なる色彩に着色するという提案である。特許文献２（特開２０１１−１７４３４５号公報）に係る簡易取り付け区画表示ネットは、収納時に絡むことなく迅速に折りたたむことができ、かつコンパクトに収納できるように工夫したものであって、横長状帯状部材と、この帯状部材を複数の領域に区画する線状区画材と、これら複数の領域にそれぞれ取り付けられる板状のフック部材等で構成され、収納時には線状区画材を折れ線としてコンパクトに折りたたむことができるという提案である。特許文献３（特開平８−２９７７８４号公報）に係る区画ネットは、作業現場や危険区域で用いられる区画ネットに侵入や衝突があった場合、確実に警告を発して事故を防止し、しかも広範囲に巡らせた区画ネットでも少数の装置の設置で足りるように工夫したものであって、ネットの変形を検知して検知信号を発生するセンサと検知信号に基づいて警告を発する警告器とを有する異常警告装置のセンサをネットに取り付けるという内容を提案するものである。
【先行技術文献】
【特許文献】
【０００４】
【特許文献１】登録実用新案第３０４７１４３号公報
【特許文献２】特開２０１１−１７４３４５号公報
【特許文献３】特開平８−２９７７８４号公報
【発明の概要】
【発明が解決しようとする課題】
【０００５】
上記従来技術においては次のような課題が残されている。特許文献１は、網体と縁部を補強したシ−ト構造であって設置箇所の長さ分の枚数が絶対的に必要であり、重量の低減と設置の容易性を実現するという課題は解消されていない。特許文献２は、簡易に設置するためには、あらかじめ線状部材の展開が必要であり、複雑地形な箇所での設置には板状フックが干渉し合い設置に手間取るという問題がある。また、板状フックを使用することで重量の軽減を図ることができないばかりでなく、ネットを構成する部材が多く収納には手間がかかるという問題も残存している。特許文献３は、ネットへの進入や衝突を機械的に発見する装置であって汎用性という面では実用的ではない。
【０００６】
さらに、網目のネットで形成した区画ネットの場合には、展張する際に網目同士が絡まりうまく展張させることができない等、設置ないし撤収に伴う作業上の問題を有する。
【０００７】
本発明は、上記従来技術に鑑み、設置および撤去を短時間で迅速に行うことができ、収納時に嵩張ることもない区画ネットを提供することを目的とする。
【課題を解決するための手段】
【０００８】
上記課題を解決する本発明の第１の態様は、
第１の切込みスリットと、前記第１の切込みスリットと同一線上に形成された第２の切込みスリットと、前記第１および第２のスリットに平行に形成されて通常時には閉じているスリットとを有するスリットユニットを、
シート状部材の第１の辺およびこれと平行な第２の辺に沿う幅方向に複数組分散させて配設するとともに、
前記第１の切込みスリットは、前記第１の辺から前記第２の辺に向けて切込んで形成され、
前記第２の切込みスリットは、前記第２の辺から前記第１の辺に向けて切込んで形成され、
前記スリットは、前記第１の切込みスリットの端部と前記第２の切込みスリットの端部との間の部位を跨いで形成されるとともに、
前記幅方向に関する前記シート状部材の両端部が固定されている支持部材を有し、
さらに、前記支持部材における前記幅方向と交差する方向の両端部間に伸縮可能な弾性部材からなる紐状部材の両端部をそれぞれ固定するとともに、前記幅方向で隣接する前記第１の切込みスリットの間の部位である第１の耳部の一点および前記幅方向で隣接する前記第２の切込みスリットの間の部位である第２の耳部の一点を前記紐状部材に係止させたことを特徴とする区画ネットにある。
【０００９】
本態様によれば、シート状部材の両端部の支持部材を相互に反対方向に引張ることによりスリットが開き、ハニカム構造体が形成されるので、シート状部材をその幅方向に容易に展張することができる。このことにより、シート状部材で画成するエリアの大きさに柔軟に対応させてその幅を任意に調整し、適切に設置することができる。
【００１０】
一方、支持部材に作用させる展張力を取り除くことによりスリットが閉じられる。このことにより幅が縮小された通常時の一枚のシート状部材となるので、撤収を容易に行うことができる。また、嵩張ることなく収納も容易に行うことができる。すなわち、網目のネット状部材の場合のように、展張する際の網目同士が絡まりうまく展張させることができない等、設置ないし撤収に伴う作業上の問題を一挙に解決することができる。
また、本態様によれば、第１の耳部を介してシート状部材の上端部の位置が、また第２の耳部を介してシート状部材の下端部の位置が規制されるので、区画ネットとしての設置時の展張形状を良好に維持することができる。
【００１１】
本発明の第２の態様は、
第１の切込みスリットと、前記第１の切込みスリットと同一線上に形成された第２の切込みスリットと、前記第１の切込みスリットと前記第２の切込みスリットとの間の前記同一線上に形成されて通常時には閉じているｎ個（ｎは自然数）の第１のスリットと、前記第１のスリットに平行な同一直線上に形成されて通常時には閉じている（ｎ＋１）個の第２のスリットとを有するスリットユニットを、
シート状部材の第１の辺およびこれに平行な第２の辺に沿う幅方向に複数組分散させて配設するとともに、
前記第１の切込みスリットは、前記第１の辺から、前記第２の辺に向けて切込んで形成され、
前記第２の切込みスリットは、前記第２の辺から、前記第１の辺に向けて切込んで形成され、
前記第２のスリットは、前記第１の切込みスリットあるいは第２の切込みスリットの端部と第１のスリットの端部の間の部位、または前記同一線上で隣接する第１のスリット同士の端部の間の部位を跨いで形成されるとともに、前記幅方向に関し千鳥状に配設され、
さらに前記幅方向に関する前記シート状部材の両端部が固定されている支持部材を有するとともに、
前記支持部材における前記幅方向と交差する方向の両端部間に伸縮可能な弾性部材からなる紐状部材の両端部をそれぞれ固定するとともに、前記幅方向で隣接する前記第１の切込みスリットの間の部位である第１の耳部の一点および前記幅方向で隣接する前記第２の切込みスリットの間の部位である第２の耳部の一点を前記紐状部材に係止させたことを特徴とする区画ネットにある。
【００１２】
本態様によれば、第１のスリットおよび第２のスリットの数を任意に調整することにより、展張時に形成されるハニカム構造体の形状、大きさを任意に選択することができ、高さ方向の寸法を任意に調整し得る等、用途に応じた適切なハニカム構造体を形成させることができる。
また、本態様によれば、第１の耳部を介してシート状部材の上端部の位置が、また第２の耳部を介してシート状部材の下端部の位置が規制されるので、区画ネットとしての設置時の展張形状を良好に維持することができる。
【００１３】
本発明の第３の態様は、
第１または第２の態様に記載する区画ネットにおいて、
前記第１および第２の切込みスリットの端部、前記第１および第２のスリットの両端部に、前記端部および両端部が孔内に含まれるように孔を設けたことを特徴とする区画ネットにある。
【００１４】
本態様によれば、孔により各スリットの端部に集中する応力を分散させることができ、シート状部材がスリットの端部から裂けるのを未然に防止し得る。
【００１５】
本発明の第４の態様は、
第１〜第３の態様の何れか一つに記載する区画ネットにおいて、
複数枚の区画ネット同士を幅方向で連結し得るよう前記支持部材の側面に連結部材を設けたことを特徴とする区画ネットにある。
【００１６】
本態様によれば、立ち禁止区域等の大きさにより、任意の枚数だけ区画ネットを連結する必要がある場合、この連結作業を容易かつ迅速に行うことができる。
【００１７】
本発明の第５の態様は、
第１〜第４の態様の何れか一つに記載する区画ネットにおいて、
前記シート状部材は、合成繊維を合成樹脂フィルムで挟んだ合成樹脂性のシートであることを特徴とする区画ネットにある。
【００１８】
本態様によれば、いわゆるブルーシートと呼ばれるシート状部材であるので、区画ネットとしての強度ばかりでなく、区画ネットとして、全体を軽量なものとすることができる。
【発明の効果】
【００２１】
本発明によれば、支持部材を幅方向に関し相互に反対方向に引張ることにより閉じられていたスリットを開いてハニカム構造体を形成させることにより幅方向に容易に展張することができる。この結果、区画ネットとして迅速な設置を行うことができる。また、撤収時には展張力を解除することにより自動的に縮小されてスリットが閉じられ、シート状部材となるので、収納も容易に行うことができる。
【００２２】
すなわち、本発明は、網目ネットと違い絡まず迅速に収納ができるシート状部材で基本的に構成されているので、軽量であるばかりでなく、設置は幅方向に引き伸ばすことでシ−ト外観がハニカム構造体の網目外観に変化するというものであって、設置箇所の地形の影響を受けることもない。さらに、複数のシート状部材を連結する際、網目の上下両端部の紐で結束する場合と異なり、両端部に固着した支持部材を介して連結部材を使用することができる。この結果、短時間に設置できるばかりでなく、上下両端部でしか連結する部分がない場合に生起されていた連結部分におけるネット部分の膨らみも除去することができる。すなわち、従来の区画ネットを複数枚連結後、幅方向に引くと連結部が膨らみ、ネットの意味をなさない場合が生起されていたのに対し、本発明では剛性が大きい支持部材でシート状部材の両端部を固定しているので、前述の如き連結部の膨らみを除去し得るという効果も奏する。
【図面の簡単な説明】
【００２３】
【図１】本発明の第１の実施の形態に係る区画ネットを通常時の状態で模式的に示す説明図である。
【図２】本発明の第１の実施の形態に係る区画ネットを使用時（展張時）の状態で模式的に示す説明図である。
【図３】本発明の第１の実施の形態に係る区画ネットを収納時（巻回時）の状態で模式的に示す説明図である。
【図４】本発明の第２の実施の形態に係る区画ネットを通常時の状態で模式的に示す説明図である。
【図５】本発明の第２の実施の形態に係る区画ネットを使用時（展張時）の状態でも模式的に示す説明図である。
【図６】上記第１および第２の実施の形態に係る区画ネットで立ち入り禁止区域等、所定の区域を画成する場合の使用態様を示す説明図である。
【図７】図１に示す態様の区画ネットに応力緩和用の孔を設けた場合の態様を示す説明図である。
【図８】図２に示す態様の区画ネットに応力緩和用の孔を設けた場合の態様を示す説明図である。
【図９】図１に示す態様の区画ネットのシート状部材を紐状部材に係止した場合の態様を示す説明図である。
【図１０】図２に示す態様の区画ネットのシート状部材を紐状部材に係止した場合の態様を示す説明図である。
【発明を実施するための形態】
【００２４】
以下、本発明の実施の形態を図面に基づき詳細に説明する。
【００２５】
図１は本発明の基本構造となる第１の実施の形態に係る区画ネットを通常時の状態で模式的に示す説明図、図２はその使用時（展張時）の状態で模式的に示す説明図である。
【００２６】
両図に示すように、本形態に係る区画ネットＩは、矩形部材であるシート状部材１と、幅方向に関するシート状部材１の両端部を固定している支持部材２，３を有している。シート状部材１は、合成繊維を合成樹脂フィルムで挟んだ合成樹脂性のシート、いわゆるブルーシートを好適に用いることができる。支持部材２，３は剛性の高い樹脂、例えばベークライトで好適に構成することができる。支持部材２，３には、例えば立ち入り禁止区域を画成するために区画ネットＩを複数枚、連結する必要がある場合に備え連結部材４，５が連結してある。また、支持部材２，３の上下両端部には、紐１３，１４が固定してあり、区画ネットＩを複数枚、連結する必要がある場合や、収納する場合の結束紐として利用し得るようになっている。かかる連結部材４，５および紐１３，１４を利用する区画ネットＩの連結態様は後に詳述する。
【００２７】
シート状部材１には、上端の一辺である第１の辺６と、第１の辺６に平行な下端の一辺である第２の辺７に沿う幅方向で等間隔に分散させて配設したスリットユニット８が設けてある。スリットユニット８は、第１の切込みスリット９、第２の切込みスリット１０、および第１および第２のスリット９，１０に平行に形成されているスリット１１からなる。ここで、第１の切込みスリット９は、第１の辺６から第２の辺７に向けて切込んで形成されている。第２の切込みスリット１０は、第１の切込みスリット９と同一線上に、第２の辺７から第１の辺６に向けて切込んで形成されている。スリット１１は、図１に示す通常時には閉じており、第１の切込みスリット９の端部と第２の切込みスリット１０の端部との間の部位１２を跨いで形成されている。この結果、スリット１１の一方（上端側）の端部は第１の切込みスリット９の途中に対応する位置、スリット１１の他方（下端側）の端部は第２の切込みスリット１０の途中に対応する位置にそれぞれ位置している。
【００２８】
なお、本形態におけるスリット１１を挟んだ幅方向で隣接する列毎に、色分け（例えば、赤（図中のグレー部分）、白）がしてあり、例えば立ち入り禁止区域を画成する区画ネットＩとして使用する際等の注意喚起機能を持たせてある。ここで、彩色の組み合わせ、領域等は任意に選定し得る。
【００２９】
本形態によれば、シート状部材１は、図１に示すように、通常時には、第１の切込みスリット９、第２の切込みスリット１０およびスリット１１の全てが閉じられた矩形部材となっているので、図３に示すように丸めることにより嵩張らせること収納しておくことができる。図３に示すように丸めた区画ネットＩは紐１４を利用することにより結束して収納しておくことができる。
【００３０】
一方、使用時には巻回して収納しておいたシート状部材１を巻き戻すことにより容易に図１に示すシート状に広げることができる。この状態では第１の切込みスリット９、第２の切込みスリット１０およびスリット１１は閉じられたままである。かかる状態からシート状部材１の両端部の支持部材２，３を図２中に矢印で示すように、相互に反対方向に引張ることにより第１の切込みスリット９および第２の切込みスリット１０とともにスリット１１を開くことができる。この結果、スリット１１部分でハニカム構造体が形成される。かくしてシート状部材１をその幅方向に容易に展張することができる。
【００３１】
したがって、シート状部材１で画成する、例えば立ち入り禁止エリアの大きさに柔軟に対応させてそのシート状部材１の幅を任意に調整して適切に設置することができる。
【００３２】
一方、支持部材２，３に作用させる展張力を取り除くことにより自動的に第１の切込みスリット９、第２の切込みスリット１０およびスリット１１が閉じられて元のシート状部材１に戻る。このことにより幅が縮小された通常時の一枚のシート状部材１となるので、一連の撤収を容易に行うことができる。
【００３３】
図４は本発明の第２の実施の形態に係る区画ネットを通常時の状態で模式的に示す説明図、図５は本発明の第２の実施の形態に係る区画ネットを使用時（展張時）の状態で模式的に示す説明図である。
【００３４】
両図に示すように、本形態に係る区画ネットＩＩの基本的構造は図１および図２に示す区画ネットＩと同様である。すなわち、シート状部材２１と、幅方向に関するシート状部材２１の両端部を固定している支持部材２２，２３を有している。シート状部材２１は、前述の合成樹脂性のシート、いわゆるブルーシートを好適に用いることができ、また支持部材２２，２３は剛性の高い樹脂、例えばベークライトで好適に構成することができる。支持部材２２，２３にも、例えば立ち入り禁止区域を画成するために区画ネットＩＩを複数枚、連結する必要がある場合に備えて連結部材２４，２５が連結してある。また、支持部材２２，２３の上下両端部には、紐３６，３７が固定してあり、区画ネットＩＩを複数枚、連結する必要がある場合や、収納する場合の結束紐として利用し得るようになっている。かかる連結部材２４，２５および紐３６，３７を利用する区画ネットＩＩの連結態様は後に詳述する。
【００３５】
シート状部材２１には、第１の実施の形態と同様に、上端の一辺である第１の辺２６と、第１の辺２６に平行な下端の一辺である第２の辺２７に沿う幅方向で等間隔に分散させて配設したスリットユニット２８が設けてある。スリットユニット２８は、第１の切込みスリット２９、第２の切込みスリット３０、第１のスリット３１（３１Ａ，３１Ｂ）および第２のスリット３２（３２Ａ，３２Ｂ，３２Ｃ）からなる。ここで、第１の切込みスリット２９は、第１の辺２６から第２の辺２７に向けて切込んで形成されている。第２の切込みスリット３０は、第１の切込みスリット２９と同一線上に、第２の辺２７から第１の辺２６に向けて切込んで形成されている。
【００３６】
一方、第１のスリット３１（３１Ａ，３１Ｂ）は、第１の切込みスリット２９と第２の切込みスリット３０との間において第１および第２の切込みスリット２９，３０と同一直線状に形成され、通常時には閉じているｎ個（本形態ではｎ＝２）のスリットである。第２のスリット３２（３２Ａ，３２Ｂ，３２Ｃ）は、第１の切込みスリット２９あるいは第２の切込みスリット３０の端部と第１のスリット３１（３１Ａ，３１Ｂ）の端部との間の部位３４Ａ，３４Ｂ、または同一線上で隣接するｎ個（本形態ではｎ＝２）の第１のスリット３１（３１Ａ，３１Ｂ）同士の端部の間の部位３５を跨いで形成されるとともに、幅方向に関し第１のスリット３１（３１Ａ，３１Ｂ）に対し千鳥状に配設されている（ｎ＋１）個（本形態ではｎ＝２であるので３個）のスリットである。
【００３７】
かくして、本形態においては、第２のスリット３２Ａが、第１の切込みスリット２９の端部と第１のスリット３１Ａの端部の間の部位３４Ａを跨いで形成されており、第２のスリット３２Ｃが、第２の切込みスリット３０の端部と第１のスリット３１Ｂの端部の間の部位３４Ｂを跨いで形成されている。また、第２のスリット３２Ｂは、第１のスリット３１Ａ，３１Ｂの端部の間の部位３５を跨いで形成されている。この結果、第２のスリット３２Ａは、一方（上端側）の端部が第１の切込みスリット２９の途中に対応する位置から、他方（下端側）の端部が第１のスリット３１Ａの途中に対応する位置に至るスリットとなっている。同様に、第２のスリット３２Ｂは、一方（上端側）の端部が第１のスリット３１Ａの途中に対応する位置から、他方（下端側）の端部が第１のスリット３１Ｂの途中に対応する位置に至るスリット、第２のスリット３２Ｃは、一方（上端側）の端部が第１のスリット３１Ｂの途中に対応する位置から、他方（下端側）の端部が第２の切込みスリット３０の途中に対応する位置に至るスリットとなっている。
【００３８】
このように、本形態に係る区画ネットＩＩは、第１の切込みスリット２９と第２の切込みスリット３０との間に、ｎ個（本形態では２個）の第１のスリット３１Ａ，３１Ｂを形成するとともに、第１のスリット３１Ａ，３１Ｂに平行に（ｎ＋１）個（本形態では３個）の第２のスリット３２Ａ，３２Ｂ，３２Ｃを形成したものである。
【００３９】
なお、本形態においても、例えば第１および第２のスリット３１，３２を挟んだ幅方向で隣接する列毎に、色分け（例えば、赤（図中のグレー部分）、白）がしてあり、例えば立ち入り禁止区域を画成する区画ネットＩＩとして使用する際等の注意喚起機能を持たせてある。ここで、彩色の組み合わせ、領域等は任意に選定し得る。
【００４０】
本形態においても第１の実施の形態と同様の態様で設置、撤収、収納を行うことができる。ここで、本形態においては、第１のスリット３１および第２のスリット３２の数を任意に調整することにより、展張時に形成されるハニカム構造体の形状、大きさを任意に選択することができ、高さ方向の寸法を任意に調整し得る等、用途に応じた適切なハニカム構造体を形成させることができる。
【００４１】
上述の如き区画ネットＩ，ＩＩは、立ち入り禁止区域等、画成する領域の広さにもよるが、通常は複数枚を幅方向に連結して用いられる。図６は区画ネットＩ，ＩＩを３枚を連結した場合の態様を示している。同図に示すように、幅方向で隣接する区画ネットＩ，ＩＩの連結部材４，５または連結部材２４，２５同士を順次接続して必要枚数を連結する。その後、幅方向に引っ張ることによりシート状部材１，１１を展張して必要な長さにする。最後に、左右両端部の支持部材２，２２および支持部材３，２３を所定の固定部に固定すれば任意の領域を画成することができる。ここで、紐（１３，３６）および紐（１４，３７）を用いて隣接する区画ネットＩ，ＩＩの上下両端部を結束することもできる。
【００４２】
かくして本発明によれば、立ち禁止区域等の大きさにより、任意の枚数だけ区画ネットＩ，ＩＩを連結する必要がある場合、この連結作業を容易かつ迅速に行うことができる。
【００４３】
本発明においては、図７および図８に示すように、図１および図２に基づき説明した区画ネットＩにおける第１の切込みスリット９、第２の切込みスリット１０の端部、およびスリット１１の両端部に孔４１，４２を形成しても良い。この場合の孔４１は、第１および第２の切込みスリット９，１０の端部が孔４１内に含まれるように形成する。また、孔４２は、スリット１１の両端部が孔内に含まれるように形成する。
【００４４】
このように、孔４１，４２を設けることにより第１および第２のスリット９，１０の端部およびスリット１１の両端部に集中する応力を分散させることができ、シート状部材１が第１および第２のスリット９，１０の端部およびスリット１１の両端部から裂けるのを未然に防止し得る。
【００４５】
同様に、図４および図５に基づき説明した区画ネットＩＩにおける第１および第２の切込みスリット２９，３０の端部、ならびに第１および第２のスリット３１、３２の両端部に、同様の孔（図示せず）を形成した場合には第１および第２の切込みスリット２９，３０の端部ならびに第１および第２のスリット３１，３２の両端部に集中する応力を分散させることができ、シート状部材２１が第１および第２の切込みスリット２９，３０の端部ならびに第１および第２のスリット３１，３２の両端部から裂けるのを未然に防止し得る。
【００４６】
本発明は、また図９および図１０に示すように構成することもできる。この場合には、両図に示すように、図１および図２に示す区画ネットＩに追加して支持部材２，３における上下両端部間に伸縮可能な弾性部材からなる紐状部材６１、６２の両端部をそれぞれ固定するとともに、シート状部材１の幅方向で隣接する第１の切込みスリット９の間の部位である第１の耳部１Ａの一点およびシート状部材１の幅方向で隣接する第２の切込みスリット１０の間の部位である第２の耳部１Ｂの一点を紐状部材６１、６２に弾性を有する吊下部材６３，６４に係止させてある。
【００４７】
このような構成とすることにより、第１の耳部１Ａを介してシート状部材１の上端部の位置が、また第２の耳部１Ｂを介してシート状部材１の下端部の位置が規制されるので、区画ネットＩとしての設置時の展張形状を良好に維持することができる。
【００４８】
なお、区画ネットＩＩの場合も、同様に紐状部材を設けて、シート状部材２１の第１の切込みスリット２９の間の部位である第１の耳部（図示せず）の一点およびシート状部材２１の第２の切込みスリット３０の間の部位である第２の耳部（図示せず）の一点を紐状部材に係止させることにより同様の効果を得ることができる。
【産業上の利用可能性】
【００４９】
本発明は立ち入り禁止区域を画成する必要がある、充電部を備えた電気設備や建設工事現場等を有する各種の産業分野で有効に利用することができる。
【符号の説明】
【００５０】
Ｉ，ＩＩ              区画ネット
１，２１              シート状部材
１Ａ                  第１の耳部
１Ｂ                  第２の耳部
２，２２              支持部材
４，５，２４，２５    連結部材
６，２６              第１の辺
７，２７              第２の辺
８、２８              スリットユニット
９，２９              第１の切込みスリット
１０，３０              第２の切込みスリット
１１                    スリット
３１                    第１のスリット
３２                    第２のスリット
６１，６２              紐状部材
【図６】
0005635049.tif 000002
【図１】
0005635049.tif 000003
【図２】
0005635049.tif 000004
【図３】
0005635049.tif 000005
【図４】
0005635049.tif 000006
【図５】
0005635049.tif 000007
【図７】
0005635049.tif 000008
【図８】
0005635049.tif 000009
【図９】
0005635049.tif 000010
【図１０】
0005635049.tif 000011